【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
縦方向及びそれに直交する横方向と、肌対向面及び着衣対向面とを有し、前ウエスト域と、後ウエスト域と、前記前後ウエスト域間に位置するクロッチ域と、少なくとも前記クロッチ域に配置された、吸液性コアを備えた吸液構造体とを含む使い捨て着用物品において、
前記吸液構造体は、前記吸液性コアの底面を被覆する不透液性の被覆シートに接合域を介して固定されており、少なくとも前記クロッチ域に位置する第１吸収部と、前記横方向において互いに離間対向し、かつ、前記第１吸収部の前記肌対向面上に固定された、前記縦方向へ延びる一対の第２吸収部とを有し、
前記第２吸収部は、前記第１吸収部と連続する基側縁部と、前記基側縁部と並行して前記縦方向へ延びる自由側縁部とを有し、
前記接合域は、前記クロッチ域における前記横方向の寸法が、前記前後ウエスト域のうちの少なくとも前記前ウエスト域の前記横方向の寸法よりも大きいことを特徴とする着用物品。
【手続補正２】
【補正対象書類名】特許請求の範囲
【補正対象項目名】請求項２
【補正方法】変更
【補正の内容】
【請求項２】
前記接合域は、前記第１吸収部の前記縦方向へ延びる中央部を固定するための中央接合域と、前記第１吸収部の両側部を固定するためのサイド接合域とを有し、前記サイド接合域は、前記中央接合域と前記横方向において所与寸法離間して位置しており、前記クロッチ域に位置する中間接合部と、前記中間接合部と前記縦方向において所与寸法離間して位置する前後端接合部とを有する請求項１に記載の着用物品。
【手続補正３】
【補正対象書類名】特許請求の範囲
【補正対象項目名】請求項４
【補正方法】変更
【補正の内容】
【請求項４】
前記第２吸収部は、その幅寸法を二等分する、前記自由側縁部側に位置する第１区域と、前記基側縁部側に位置する第２区域とを有し、着用状態において、前記第１区域の収縮状態における前記縦方向の寸法が、前記第２区域の収縮状態における前記縦方向の寸法よりも小さくなる一方、前記第２吸収部を前記第１吸収部から分離したときに、前記第１区域の収縮状態における前記縦方向の寸法と前記第２区域の収縮状態における前記縦方向の寸法とがほぼ等しくなる請求項１〜３のいずれかに記載の着用物品。
【手続補正４】
【補正対象書類名】特許請求の範囲
【補正対象項目名】請求項７
【補正方法】変更
【補正の内容】
【請求項７】
前記被覆シートの両側部には、前記縦方向へ延びるカフ弾性体が取り付けられる請求項１〜６のいずれかに記載の着用物品。
【手続補正５】
【補正対象書類名】特許請求の範囲
【補正対象項目名】請求項１０
【補正方法】変更
【補正の内容】
【請求項１０】
前記一対の第２吸収部の前記自由側縁部間の前記横方向における離間寸法は、前記吸液構造体の前記横方向の寸法から前記中央接合域の前記横方向の寸法を減じた値に２を乗じた値よりも大きい請求項２〜９のいずれかに記載の着用物品。
【手続補正６】
【補正対象書類名】明細書
【補正対象項目名】０００８
【補正方法】変更
【補正の内容】
【０００８】
本発明のパンツ型着用物品は、前記吸液構造体は、前記吸液性コアの底面を被覆する不透液性の被覆シートに接合域を介して固定されており、少なくとも前記クロッチ域に位置する第１吸収部と、前記横方向において互いに離間対向し、かつ、前記第１吸収部の前記肌対向面上に固定された、前記縦方向へ延びる一対の第２吸収部とを有し、前記第２吸収部は、前記第１吸収部と連続する基側縁部と、前記基側縁部と並行して前記縦方向へ延びる自由側縁部とを有し、前記接合域は、前記クロッチ域における前記横方向の寸法が、前記前後ウエスト域のうちの少なくとも前記前ウエスト域の前記横方向の寸法よりも大きい。
【手続補正７】
【補正対象書類名】明細書
【補正対象項目名】００１０
【補正方法】変更
【補正の内容】
【００１０】
【図１】本発明に係る使い捨て着用物品の一例として示す、実施形態における使い捨ておむつの正面図。
【図２】各弾性体をおむつの縦方向及び横方向に伸長させた状態における、おむつの一部破断展開図。
【図３】おむつの分解斜視図。
【図４】（ａ）吸液構造体の一部破断展開図。（ｂ）吸液構造体の一部破断斜視図。
【図５】図２のＶ−Ｖ線に沿う模式的断面図。
【図６】被覆シートとの接合域のみをドット状で示す、吸液構造体の平面図。
【図７】おむつの着用状態におけるレッグ開口周辺の拡大図。
【図８】図７のＶＩＩＩ−ＶＩＩＩ線に沿う模式的断面図。
【図９】（ａ）おむつから第２吸収部を切り出して、自然状態とした様子を示す図。（ｂ）比較例として、自由側縁部にのみ側部弾性体を配設した場合における、第２吸収部をおむつから切り出して自然状態とした様子を示す図。
【図１０】（ａ）おむつの変更例の一例における、吸液構造体の一部破断展開図。（ｂ）吸液構造体の一部破断斜視図。
【図１１】図１０（ｂ）のＸＩ−ＸＩ線に沿う模式的断面図。
【図１２】（ａ）おむつのさらに他の変更例の一例における、吸液構造体の分解図。（ｂ）吸液構造体の斜視図。
【図１３】図１２（ｂ）のＸＩＩＩ−ＸＩＩＩ線に沿う模式的断面図。
【手続補正８】
【補正対象書類名】明細書
【補正対象項目名】００３５
【補正方法】変更
【補正の内容】
【００３５】
第２吸収部４２はその内部に圧縮弾性の吸液性コア４３を含み所要の厚さと剛性を有するものであるから、例えば、従来のおむつにおける弾性を有するシート部材のみから形成された立体カフ等に比べて着用者の身体により安定的にフィットされ、身体１７と第２吸収部４２との間に体液の漏れを原因となるような隙間が形成されるのを抑制することができる。また、本実施形態のように、前後ウエスト域１３，１４がそれぞれ別体の前後ウエストパネル１８，１９から形成されるおむつの場合には、体液を吸収した吸収シャーシ１１がその自重によって適正位置からずり下がって着用者の股下に挟み込まれ易くなるところ、第２吸収部４２が比較的に広範囲に身体にフィットしているので、かかるずり下がりを防止することができる。
【手続補正９】
【補正対象書類名】明細書
【補正対象項目名】００４４
【補正方法】変更
【補正の内容】
【００４４】
上記段落に開示した本発明に係る使い捨て着用物品は、少なくとも下記の実施の形態を含むことができる。
（１）前記接合域は、前記第１吸収部の前記縦方向へ延びる中央部を固定するための中央接合域と、前記第１吸収部の両側部を固定するためのサイド接合域とを有し、前記サイド接合域は、前記中央接合域と前記横方向において所与寸法離間して位置しており、前記クロッチ域に位置する中間接合部と、前記中間接合部と前記縦方向において所与寸法離間して位置する前後端接合部とを有する。
（２）前記第２吸収部には、前記縦方向へ延びる側部弾性体が配置される。
（３）前記第２吸収部は、その幅寸法を二等分する、前記自由側縁部側に位置する第１区域と、前記基側縁部側に位置する第２区域とを有し、着用状態において、前記第１区域の収縮状態における前記縦方向の寸法が、前記第２区域の収縮状態における前記縦方向の寸法よりも小さくなる一方、前記第２吸収部を前記第１吸収部から分離したときに、前記第１区域の収縮状態における前記縦方向の寸法と前記第２区域の収縮状態における前記縦方向の寸法とがほぼ等しくなる。
（４）前記第２吸収部の外面のうちの少なくとも着用者の身体と当接する面は、親水性を有する。
（５）前記吸液構造体と前記被覆シートとの間に位置する不透液性の防漏シートをさらに有する。
（６）前記被覆シートの両側部には、前記縦方向へ延びるカフ弾性部材が取り付けられる。
（７）前記第１吸収部と前記第２吸収部とは一体に形成されたものであって、前記第２吸収部は、前記第１吸収部の前記肌対向面側へ折り曲げられて形成されており、折り曲げられた部分において前記縦方向へ延びる凹状溝が配置されており、前記凹状溝において前記吸液構造体の他の部分に比して前記吸液性コアの単位面積当たりの質量が低く又は前記吸液性コアが非存在である。
（８）前記前ウエスト域を画成する前ウエストパネルと、前記後ウエスト域を画成する後ウエストパネルと、前記吸液構造体を有する吸収シャーシとをさらに含み、前記吸収シャーシの前後端部が前記前後ウエストパネルに固定される。
（９）前記一対の第２吸収部の前記自由側縁部間の離間寸法は、前記吸液構造体の前記横方向の寸法から前記中央接合域の前記横方向の寸法を減じた値に２を乗じた値よりも大きい。
【手続補正１０】
【補正対象書類名】明細書
【補正対象項目名】００４５
【補正方法】変更
【補正の内容】
【００４５】
１０  使い捨て着用物品（使い捨ておむつ）
１２  ウエストパネル
１３  前ウエスト域
１４  後ウエスト域
１５  クロッチ域
１８  前ウエストパネル
１９  後ウエストパネル
３３  身体側ライナ
３４  吸収体
３５  吸液構造体
３６  被覆シート
３７  防漏シート
３８  側部弾性体
４０  折曲ライン
４１  第１吸収部
４２  第２吸収部
５０  第２吸収部の基側縁部
５１  第２吸収部の自由側縁部
６１  第１区域
６２  第２区域
６３  カフ弾性体
７０  中央接合域
７１  サイド接合域
７１Ａ，７１Ｂ  前後端接合部
７１Ｃ  中間接合部
７３    中央非接合域
７４    サイド非接合部
８０  凹状溝（折曲案内溝）
Ｘ    横方向
Ｙ    縦方向
Ｗ２  吸液構造体の横方向の寸法
Ｗ３  中央接合域の横方向における寸法
Ｗ５  第２吸収部の自由側縁部間の横方向における離間寸法